(57)【要約】電子通信装置（２）からカラオケ装置を実施する方法は音楽データを読み取って音楽信号を与えるステップと、歌詞データを読み取ってディスプレイ（５）上に歌詞を示すステップと、音声信号を受信するステップと、音楽信号を含む第１の出力信号を与えるステップと、音楽信号および音声信号を混合することにより第２の出力信号を与えるステップと、ユーザ（６）のために第１の出力信号を再生するステップと、を含んでいる。第２の出力信号は、さらに、電子通信装置から少なくとももう一つの通信装置（３）に無線で送信され、そこで第２の出力信号は受信されて聴衆のために再生される。これらの装置を傾聴する人々は任意の場所にいることができ、しかもカラオケ演奏に参加することができる。したがって、参加者を単一場所にいる人々に制限することなくより柔軟なカラオケ演奏が可能となる。
2005505008.tif 000002
【特許請求の範囲】
【請求項１】
第１の電子通信装置（２；６５；７１）からカラオケ機能を実施する方法であって、前記方法は、
音楽データを読み取って対応する音楽信号を与えるステップと、
歌詞データを読み取って対応する歌詞をディスプレイ（５；７２）上に示すステップと、
ユーザ（６）の声を表す音声信号を受信するステップと、
少なくとも音楽信号を含む第１の出力信号を与えるステップと、
音楽信号および音声信号を混合することにより第２の出力信号を与えるステップと、
前記第１の出力信号をユーザ（６）のために再生するステップと、を含み、
前記方法は、さらに、
前記第２の出力信号を第１の電子通信装置（２；６５；７１）から少なくとももう一つの通信装置（３，３２，３４；６７）へ無線送信するステップと、
前記第２の出力信号を少なくとももう一つの通信装置（３，３２，３４；６７）において受信するステップと、
前記第２の出力信号を少なくとももう一つの通信装置（３，３２，３４；６７）において聴衆のために再生するステップと、
を含むことを特徴とする方法。
【請求項２】
請求項１に記載の方法であって、第１の電子通信装置（２；６５；７１）はポータブル装置であることを特徴とする方法。
【請求項３】
請求項２に記載の方法であって、第１のポータブル電子通信装置は移動電話機（２）であることを特徴とする方法。
【請求項４】
請求項１から３のいずれか一項に記載の方法であって、少なくとももう一つの通信装置は移動電話機（３，３２，３４）を含むことを特徴とする方法。
【請求項５】
請求項１から４のいずれか一項に記載の方法であって、音楽データを読み取るステップは第１の電子通信装置（２；６５；７１）内に格納されたデータの読取りを含むことを特徴とする方法。
【請求項６】
請求項１から４のいずれか一項に記載の方法であって、音楽データを読み取るステップはサーバ（８１）から第１の電子通信装置（２；６５；７１）へのデータのストリーミングを含むことを特徴とする方法。
【請求項７】
請求項１から６のいずれか一項に記載の方法であって、音声信号の受信は第１の電子通信装置（２；６５；７１）に接続されたヘッドセット（５０；６１）内のマイクロホン（５４；６４）の使用を含むことを特徴とする方法。
【請求項８】
請求項１から７のいずれか一項に記載の方法であって、ユーザ（６）に対する第１の出力信号の再生は第１の電子通信装置（２；６５；７１）に接続されたヘッドセット（５０；６１）内の拡声器（５２，５３；６２，６３）の使用を含むことを特徴とする方法。
【請求項９】
第１の電子通信装置（２；６５；７１）および少なくとももう一つの通信装置（３，３２，３４；６７）を含む、カラオケ機能を実施するシステム（１；６０；７０）であって、前記第１の電子通信装置（２；６５；７１）は、
ディスプレイ（５；７２）と、
歌詞データを読み取って対応する歌詞をディスプレイ（５；７２）上に示す回路（１７）と、
音楽データを読み取って対応する音声信号を与える回路（１８）と、
ユーザ（６）の声を表す音声信号を受信する回路（１９）と、
少なくとも音楽信号を含む第１の出力信号を与える回路（２１）と、
音楽信号および音声信号を混合することにより第２の出力信号を与える回路（２１）と、を含み、
第１の電子通信装置（２；６５；７１）は、さらに、前記第２の出力信号を少なくとももう一つの通信装置（３，３２，３４；６７）へ無線送信する送信機（２２）を含み、
少なくとももう一つの通信装置（３，３２，３４；６７）は前記第２の出力信号を受信する受信機（１０）、および前記第２の出力信号を聴衆（１２，３１，３２）のために再生する手段（１１）を含むことを特徴とするシステム。
【請求項１０】
請求項９に記載のシステムであって、第１の電子通信装置（２；６５；７１）はポータブル装置であることを特徴とするシステム。
【請求項１１】
請求項１０に記載のシステムであって、第１のポータブル電子通信装置は移動電話機（２）であることを特徴とするシステム。
【請求項１２】
請求項９から１１のいずれか一項に記載のシステムであって、少なくとももう一つの通信装置は移動電話機（３，３２，３４）を含むことを特徴とするシステム。
【請求項１３】
請求項９から１２のいずれか一項に記載のシステムであって、第１の電子通信装置（２；６５；７１）はユーザ（６）のために前記第１の出力信号を再生する回路（２４）を含むことを特徴とするシステム。
【請求項１４】
請求項１３に記載のシステムであって、前記第１の出力信号を再生する回路（２４）は第１の電子通信装置（２；６５；７１）に接続されたヘッドセット（５０；６１）内の拡声器（５２，５３；６２，６３）に接続されるようにされていることを特徴とするシステム。
【請求項１５】
請求項９から１４のいずれか一項に記載のシステムであって、音声信号を受信する回路（１９）は第１の電子通信装置（２；６５；７１）に接続されたヘッドセット（５０；６１）内のマイクロホン（５４；６４）に接続されるようにされていることを特徴とするシステム。
【請求項１６】
ディスプレイ（５；７２）と、
歌詞データを読み取って対応する歌詞をディスプレイ（５；７２）上に示す回路（１７）と、
音楽データを読み取って対応する音声信号を与える回路（１８）と、
ユーザ（６）の声を表す音声信号を受信する回路（１９）と、
少なくとも音楽信号を含む第１の出力信号を与える回路（２１）と、
音楽信号および音声信号を混合することにより第２の出力信号を与える回路（２１）と、を含むカラオケ装置（２；６５；７１）であって、
さらに、前記第２の出力信号を少なくとももう一つの通信装置（３，３２，３４；６７）へ無線送信する送信機（２２）を含むことを特徴とするカラオケ装置。
【請求項１７】
請求項１６に記載のカラオケ装置であって、装置（２；６５；７１）はポータブルであることを特徴とするカラオケ装置。
【請求項１８】
請求項１７に記載のカラオケ装置であって、装置は移動電話機（２）であることを特徴とするカラオケ装置。
【請求項１９】
請求項１７に記載のカラオケ装置であって、装置はブルートウス装置（６５；７１）であることを特徴とするカラオケ装置。
【請求項２０】
請求項１７に記載のカラオケ装置であって、装置はパーソナル・デジタル・アシスタント（７１）であることを特徴とするカラオケ装置。
【請求項２１】
請求項１６から２０のいずれか一項に記載のカラオケ装置であって、装置（２；６５；７１）はユーザ（６）のために前記第１の出力信号を再生する回路（２４）を含むことを特徴とするカラオケ装置。
【請求項２２】
請求項２１に記載のカラオケ装置であって、前記第１の出力信号を再生する回路（２４）はカラオケ装置（２；６５；７１）に接続されたヘッドセット（５０；６１）内の拡声器（５２，５３；６２，６３）に接続されるようにされていることを特徴とするカラオケ装置。
【請求項２３】
請求項１６から２２のいずれか一項に記載のカラオケ装置であって、音声信号を受信する回路（１９）はカラオケ装置（２；６５；７１）に接続されたヘッドセット（５０；６１）内のマイクロホン（５４；６４）に接続されるようにされていることを特徴とするカラオケ装置。
【発明の詳細な説明】
【技術分野】
【０００１】
（発明の技術分野）
本発明は第１の電子通信装置からカラオケ機能を実施する方法に関し、前記方法は音楽データを読み取って対応する音楽信号を与えるステップと、テキスト若しくは歌詞データを読み取って対応する歌詞をディスプレイ上に示すステップと、ユーザの音声を表す音声信号を受信するステップと、少なくとも音楽信号を含む第１の出力信号を与えるステップと、音楽信号と音声信号を混合することにより第２の出力信号を与えるステップと、前記第１の出力信号をユーザのために再生するステップと、を含んでいる。本発明は、さらに、カラオケ機能を実施するシステムに関連しており、第１の電子通信装置および少なくとももう一つの通信装置を含んでいる。本発明はさらにカラオケ装置に関連している。
【背景技術】
【０００２】
（関連技術の説明）
カラオケすなわち歌の集い（ｓｉｎｇ−ａｌｏｎｇ）、一緒に歌うことの概念は、予め録音された音楽に合せて歌う人または／および聴衆はその歌い手の声を予め録音された音楽と結合して聴くことができるような概念である。カラオケシステムすなわち装置は典型的に予め録音された音楽を再生する音楽プレーヤ、再生された音楽と同期された歌の歌詞を示す装置、および数台の拡声器を介して演奏される前に歌い手の声を電子的に増幅して音楽と混合する装置を含んでいる。歌詞を示す装置は演奏された音楽を厳密な時点に合わせる歌詞内の厳密な点を示す移動ポインタ、さらには、歌詞と共に示されるムード設定映像も可能にするある装置を含むことができる。
【０００３】
カラオケの重要な側面は歌い手が自分自身の声を聴く方法であるため、歌い手の声を演奏される前に音楽と混合することが大概のシステムに含まれている。歌い手に上達を体験させ−かつ歌い手の自信を高めるために−ある種の声の強められた帰還、電子的改善および増幅を提供することがしばしば好まれる。それは歌い手が音楽を切り離して聞くのではなく、歌い手自身の声の増強されたバージョンと結合された音楽を聞くことを意味する。
【０００４】
既知のカラオケ装置の例は歌を捕捉するハイファイマイクロホンおよびハイファイミキサ、増幅器および拡声器システム、および歌詞およびムード生成映像（使用する場合）をテレビ画面上に示すオプションを有する専用カラオケマシンである。しかしながら、このような専用カラオケマシンは、同じ音楽および映像品質を提供する娯楽システムに比べても、比較的高価である。さらに、このようなマシンは重い装置であり、また電源も必要であるため、典型的には静止装置としてしか使用されない。
【０００５】
より単純な解決策は通常のビデオテーププレーヤ付テレビセットを使用することである。歌詞およびムード生成映像はテレビ画面上に表示され音楽はテレビセットの拡声器を介して伝達される。この解決策は歌い手の声の電子的捕捉および増幅を含んでおらず、そのため歌い手への増強された帰還は提供されない。また、このシステムも典型的に静止システムである。
【０００６】
パーソナルコンピュータ（ＰＣ）や類似したタイプのコンピュータも使用することができる。音楽は、たとえば、Ｍｉｄｉフォーマット等のフォーマットでコンピュータ内に格納してコンピュータのディスプレイモニタ上の歌詞のディスプレイと平行して再生することができる。しかしながら、ＰＣは家庭娯楽システムとして使用するように設計されていないため、その性能はこの応用にうまく適合されておらず、技術的問題により全体的体験は悪化することがある。テレビ／ビデオテープ解決策については、歌い手への帰還は利用できない。また、これも典型的には静止型解決策である。ポータブルコンピュータを使用することができるが、典型的には組込拡声器のより低い品質により音楽の品質はさらに劣化する。
【０００７】
ＪＰ１１−７２９０にはケーブルを介してポータブル電話機に接続できるカラオケ装置が記述されている。特定の楽曲に対する要求をカラオケ装置からポータブル電話機、基地局および電話交換網を介して楽曲データベースに送信することができ、次に、要求された楽曲を反対方向に送信することができる。それにより、たとえ正規の電話回線が利用できない場所であっても、装置は楽曲データベース内に格納された多数の異なる楽曲間の選択を行うことができる。しかしながら、カラオケ装置自体はやはり静止型装置である。
【０００８】
同様なシステムがＵＳ６０８３００９により知られており、そこでは装置に接続された移動電話機を介してデータベースからカラオケデータをダウンロードすることができる。装置のユーザは装置に格納された音楽とデータベースからダウンロードされた音楽間の選択を行うことができる。装置はテレビ受像機、オーディオシステムおよびコンピュータにも接続されており、そのためここでもシステムはやはり静止用途である。
【０００９】
ＫＲ９６１１８２７には電話機にカラオケ機能を追加する装置が開示されている。ＣＰＵがカラオケ機能だけでなく電話の一般的機能を制御する。この装置は音楽データを格納するためのマイクロテープおよび音声と音楽を混合してスピーカに信号を出力する制御回路も含んでいる。電話機のオーディオ機能を使用することにより、通常のオーディオシステム無しでカラオケ機能をより低廉に実現することができる。
【００１０】
前記したシステムは全て、カラオケ演奏に参加する全ての人が一つの場所、すなわち、システムが配置される部屋または場所にいることを必要とする。カラオケ演奏は従来このように制約されてきているが、大概の人々が移動電話機等による非常に柔軟な通信に慣れている今日、それは望ましくない制限に思われる。
【発明の開示】
【発明が解決しようとする課題】
【００１１】
したがって、単一場所にいる人々に参加者を制限することなくより柔軟なカラオケ演奏が可能な前記したタイプの方法を提供することが本発明の目的である。
【課題を解決するための手段】
【００１２】
（概要）
本発明に従って、この方法がさらに前記第２の出力信号を第１の通信装置から少なくとももう一つの通信装置へ無線送信するステップと、少なくとももう一つの通信装置において前記第２の出力信号を受信するステップと、少なくとももう一つの通信装置において前記第２の出力信号を聴衆のために再生するステップと、を含むことによりこの目的は達成される。
【００１３】
聴衆のための第２の出力信号が一つ以上の他の通信装置に送信される時、これらの装置を傾聴する人々は、通信により到達できる場所であれば、任意の場所にいることができしかもカラオケ演奏に参加できることが保証される。いくつかの装置を使用することにより対応する数の場所をカバーすることができ、したがって、非常に柔軟な方法が達成される。
【００１４】
第１の電子通信装置がポータブル装置であればユーザは装置を携行できるため、たとえ一つの場所からもう一つの場所へ移動しても、一層柔軟な方法が達成される。本発明の適切な実施例では、第１のポータブル電子通信装置は移動電話機である。
【００１５】
また、少なくとももう一つの通信装置は他の参加者、すなわち、聴衆に歌い手と同じ柔軟性を提供する移動電話機を含むことができる。
【００１６】
本発明の一実施例では、音楽データを読み取るステップは第１の電子通信装置内に格納されたデータの読取りを含んでいる。データを装置内に格納したことは装置がいつでもカラオケ演奏の準備ができていることを意味する。あるいは、音楽データを読み取るステップはサーバから第１の電子通信装置へのデータのストリーミングを含むことができる。遠隔サーバからデータを受信する可能性によりカラオケ演奏する異なる歌のより大きな選択が提供される。サーバからのデータも装置にダウンロードすることができる。
【００１７】
ユーザ、すなわち歌い手、の音声信号は第１の電子通信装置内に一体化されたマイクロホンにより受信することができる。別の実施例では、音声信号の受信は第１の電子通信装置に接続されたヘッドセット内のマイクロホンの使用を含んでいる。ヘッドセット内のマイクロホンの使用によりマイクロホンから拡声器への音響帰還の危険性が低減され、また多くの状況においてヘッドセットはユーザにとってより簡便である。
【００１８】
同様に、ユーザへの出力信号は第１の電子通信装置内に一体化された拡声器を介して再生することができ、あるいはユーザに対する第１の出力信号の再生は第１の電子通信装置に接続されたヘッドセット内の拡声器の使用を含むことができる。また、ヘッドセット内の拡声器の使用によりマイクロホンから拡声器への音響帰還の危険性が低減され、ヘッドセットはやはりユーザにとってより簡便である場合が多い。
【００１９】
前記したように、本発明はカラオケ機能を実施するシステムにも関連しており、第１の電子通信装置および少なくとももう一つの通信装置を含み、前記第１の電子通信装置はディスプレイ、歌詞データを読み取って対応する歌詞を前記ディスプレイ上に示す回路、音楽データを読み取って対応する音楽信号を与える回路、ユーザの声を表す音声信号を受信する回路、少なくとも音楽信号を含む第１の出力信号を与える回路、および音楽信号と音声信号を混合することにより第２の出力信号を与える回路を含んでいる。
【００２０】
第１の電子通信装置がさらに前記第２の出力信号を少なくとももう一つの通信装置へ無線送信する送信機を含み、かつ少なくとももう一つの通信装置が前記第２の出力信号を受信する受信機および前記第２の出力信号を聴衆のために再生する手段を含む場合には、これらの装置を傾聴する人々は通信により到達できる場所であれば、任意の場所にいることができしかもカラオケ演奏に参加できる。いくつかの装置を使用することにより対応する数の場所をカバーすることができ、したがって、非常に柔軟な方法が達成される。
【００２１】
第１の電子通信装置がポータブル装置であればユーザは装置を携行できるため、たとえ一つの場所からもう一つの場所へ移動しても、一層柔軟なシステムが達成される。本発明の適切な実施例では、第１のポータブル電子通信装置は移動電話機である。
【００２２】
また、少なくとももう一つの通信装置は他の参加者、すなわち、聴衆に歌い手と同じ柔軟性を提供する移動電話機を含むことができる。
【００２３】
第１の電子通信装置はユーザのために第１の出力信号を再生する回路を含むことができる。あるいは、第１の出力信号を再生する回路は第１の電子通信装置に接続されたヘッドセット内の拡声器に接続するようにすることができる。ヘッドセット内の拡声器の使用によりマイクロホンから拡声器への音響帰還の危険性が低減され、また多くの状況においてヘッドセットはやはりユーザにとってより簡便である。
【００２４】
同様に、ユーザ、すなわち歌い手、の音声信号は第１の電子通信装置内に一体化されたマイクロホンにより受信することができる。別の実施例では、音声信号を受信する回路は第１の電子通信装置に接続されたヘッドセット内のマイクロホンに接続するようにされている。また、ヘッドセット内のマイクロホンの使用によりマイクロホンから拡声器への音響帰還の危険性が低減され、やはりヘッドセットはユーザにとってより簡便である場合が多い。
【００２５】
前記したように、本発明はさらにディスプレイ、歌詞データを読み取って対応する歌詞を前記ディスプレイ上に示す回路、音楽データを読み取って対応する音楽信号を与える回路、ユーザの声を表す音声信号を受信する回路、少なくとも音楽信号を含む第１の出力信号を与える回路、および音楽信号と音声信号を混合することにより第２の出力信号を与える回路を含むカラオケ装置に関連している。
【００２６】
カラオケ装置がさらに前記第２の出力信号を少なくとももう一つの通信装置へ無線送信する送信機を含む場合には、これらの装置を傾聴する人々は通信により到達できる場所であれば、任意の場所にいることができしかもカラオケ演奏に参加できる。
【００２７】
カラオケ装置がポータブル装置であればユーザは装置を携行できるため、たとえ一つの場所からもう一つの場所へ移動しても、一層柔軟なシステムが達成される。本発明の適切な実施例では、カラオケ装置は移動電話機である。
【００２８】
別の実施例では、カラオケ装置はブルートウス（Ｂｌｕｅｔｏｏｔｈ）装置であり、多くのビルディング内でブルートウスの使用が増加しているためそれは興味ある解決策である。パーソナル・デジタル・アシスタント（Ｐｅｒｓｏｎａｌ  Ｄｉｇｉｔａｌ  Ａｓｓｉｓｔａｎｔ）装置の使用も増加しているため、カラオケ装置はこれらの装置することもできる。
【００２９】
カラオケ装置はユーザに対して第１の出力信号を再生する回路を含むことができる。あるいは、第１の出力信号を再生する回路はカラオケ装置に接続されたヘッドセット内の拡声器に接続するようにすることができる。ヘッドセット内の拡声器の使用によりマイクロホンから拡声器への音響帰還の危険性が低減され、また多くの状況においてヘッドセットはユーザにとってより簡便である。
【００３０】
同様に、ユーザ、すなわち歌い手、の音声信号はカラオケ装置内に一体化されたマイクロホンにより受信することができる。別の実施例では、音声信号を受信する回路はカラオケ装置に接続されたヘッドセット内のマイクロホンに接続するようにされている。また、ヘッドセット内のマイクロホンの使用によりマイクロホンから拡声器への音響帰還の危険性が低減され、やはりヘッドセットはユーザにとってより簡便である場合が多い。
【実施例】
【００３１】
次に、図面を参照して本発明について詳細に記述する。
図１に本発明の使用例を示す。この例では、カラオケシステム１は移動電話機２および３の形の２つのカラオケ装置により実現される。移動電話機２は本発明に従って装備され、移動電話機３は標準移動電話機または本発明に従って装備された移動電話機とすることができる。図１では移動電話機はＧＳＭ網に接続された電話機として例示されているが、ＵＭＴＳ，ＧＰＲＳまたはＤＥＣＴ電話機等の他のタイプも使用することができる。正規の静止電話機も使用することができる。前記したように、他のタイプの電子通信装置も使用することができる。
【００３２】
後述するように、移動電話機２は拡声器４を介して歌の音楽を再生し歌の対応する歌詞をディスプレイ５上に示すことができる。歌い手６は拡声器４からの音楽を傾聴しかつディスプレイ５上の歌詞を読み取り、それにより歌い手はマイクロホン７内に歌を歌いこむことができる。装置２内で歌い手の声は音楽と結合されアンテナ８およびＧＳＭ網９を介して他方の移動電話機３に送信され、そこで結合信号はアンテナ１０により受信され拡声器１１を介してカラオケ演奏の聴衆を表す傾聴者１２に再現される。
【００３３】
拡声器４により再生される音響は音楽信号のみまたは歌い手の声と結合された音楽信号であることが注目される。後者の場合、歌い手に上達した体験をさせるために音声信号を電子的を修正することができる。したがって、この結合信号は他方の移動電話機３に送信されたものと必ずしも同一ではない。
【００３４】
図２はカラオケ装置／移動電話機２をどのように実現できるかの例を示す。前記したように、この装置は正規の移動電話機の回路だけでなくカラオケ機能に対する回路を含んでいる。単に判り易くするために、カラオケ機能と共に必要な正規の電話機回路のこれらの部分だけが例示されている。図３は図１のシステムの機能を例示するフロー図であり、次に、図２および３に関して機能を説明する。
【００３５】
ステップ１および２において、歌の歌詞および音楽を表すデータが読み取られる。図２および３に示すケースでは、歌のデータは電話機２内のメモリ１５内に格納されるが、後述するように、これはいくつかの可能性の一つにすぎない。歌詞および音楽に加えて、歌詞と共にディスプレイされるオプショナルムード設定映像も格納することができる。データは異なるフォーマットで格納することができる。一つの可能性はＭＰ３音楽、歌詞およびオプショナル映像を結合する計画ＳＭＩＬマルチメディアとすることができる。
【００３６】
音楽の演奏と歌詞のディスプレイはステップ３に示すように同期化しなければならない。この同期化は歌詞若しくはテキストユニット（ｔｅｘｔ  ｕｎｉｔ）１７および音楽ユニット（ｍｕｓｉｃ  ｕｎｉｔ）１８と組み合わせた同期化回路（ｓｙｎｃｈｒｏｎｉｓａｔｉｏｎ  ｃｉｒｃｕｉｔ）１６により行われる。ＳＭＩＬフォーマットが使用される場合には、同期化はそのフォーマットを介して行われる。音楽および歌詞が異なるフォーマットで格納される場合には、歌詞は音楽の録音に含まれる時間設定により制御することができ、あるいは、あまりオプショナルではないが音楽は歌詞に組み込まれた時間設定により制御することができる。所望により、速度調節を含むことができ、音楽および歌詞の速度を調節することができる。
【００３７】
ステップ４において、歌詞ユニット１７からの歌詞は次にディスプレイ５上に表示され、それは移動電話機２内で他の目的にも使用される正規のディスプレイである。ムード生成映像も使用される場合には、それらは歌詞と一緒にディスプレイ上に表示される。
【００３８】
歌い手は表示された歌詞を読み取り拡声器４を介して再生される対応する音楽を傾聴し、音楽と平行してここでは移動電話機の正規のマイクロホンであるマイクロホン７内に歌い込む。ステップ５に例示するように、マイクロホン７からの歌い手の声は受信回路（ｒｅｃｅｉｖｉｎｇ  ｃｉｒｃｕｉｔ）１９により受信される。
【００３９】
ステップ６において、歌は調節回路（ａｄｊｕｓｔｍｅｎｔ  ｃｉｒｃｕｉｔ）２０内で異なる方法で調節される。音楽と比較された音量が設定され、小型マイクロホンを補償して歌をより良く響かせるために、たとえば、さらに低音およびエコーを加えることができる。
【００４０】
ステップ７に示すように、歌い手からの調節された音声信号は次に音楽ユニット１８からの音楽信号に加えられすなわち混合されて結合信号を作り出す。この混合プロセスはミクサ２１内で実施される。図示するように、ミクサ２１は２つの出力信号、一つは歌い手に一つは聴衆に、を供給する。前記したように、これらの信号は同一でも異なってもよい。
【００４１】
ステップ８は本発明の重要な側面を示す。聴衆向けの結合信号はミクサ２１から移動電話機の正規の無線回路である無線回路２２、図１に示すアンテナ８およびＧＳＭ網を介して、ここではもう一つの移動電話機である、他方の装置３に送信される。
【００４２】
ステップ９に示すように、他方の電話機３内で受信信号を異なる方法で修正することができる。例として、人工的な追加増幅された高調波および人工的な追加増幅された低音を発生して信号に加え、正規の電話機周波数範囲を超えるおよび下回る音響が濾波されるのを補償する。聴衆に対して再生される音響を高めるために、同様な修正または他の修正を信号に対して実施することもできる。後者の場合、信号が移動電話機３に送信される前に、すなわちミキサ２１と無線回路２２の間で、移動電話機２内の信号にこのような修正を加えることができる。
【００４３】
ステップ９の修正後、得られる信号は拡声器１１内で演奏され、ここでは傾聴者１２で表される聴衆によって聴かれる。これはステップ１０に例示されている。
【００４４】
再生音響を高めるために、歌い手に向けたミクサ２１からの出力信号も修正することができる。これはステップ１１に示され修正回路２３内で行われる。さらなる修正の必要がなければ、このステップは回避できる。
【００４５】
最後に、ステップ１２はこの信号が出力回路２４および拡声器４を介して演奏され歌い手により聴かれることを示している。拡声器４はやはり移動電話機２の正規の拡声器である。
【００４６】
前記したシステムはいくつかの方法で修正することができる。
【００４７】
前記したように、このシステムは拡声器４により歌い手のために再生される音響が歌い手自身の声の帰還を含まないように単純化することができる。その場合、修正回路２３の入力はミクサ２１ではなく音楽ユニット１８の出力に直接接続することができる。しかしながら、大概の状況では歌い手に上達した体験をさせるために、歌い手への帰還は好まれる。
【００４８】
図１には一人の傾聴者、すなわち人間１２、しか例示されていない。しかしながら、大概のカラオケ応用において聴衆には数人の傾聴者が含まれる。数人が拡声器１１を傾聴できる拡声機能を移動電話機３が持っておればこれは可能である。電話機３は、たとえば、ケーブルにより外部拡声器やそれ自体の拡声器を有するオーディオ装置に接続することもできる。あるいは、装置３はＧＳＭ受信機が設けられたオーディオ装置とすることができる。
【００４９】
より柔軟な解決策がシステム３０を示す図４に示されており、移動電話機３の他に移動電話機２からの信号がさらに移動電話機３２および３４に送信され、人間３１および３３は自分自身の移動電話機でカラオケ演奏を傾聴することができる。もちろん、電話機数は実際の聴衆の大きさに対応してさらに増加することができる。人間１２、３１および３３は同じ部屋、たとえば、その中に歌い手もいる部屋にいることができる。この状況は全ての参加者が同じ部屋にいる正規のカラオケ演奏に対応する。しかしながら、この解決策により参加者が異なる場所にいる分散型カラオケ演奏も行うことができる。例として、各人は自宅にいることができる。このようにして、一群の人々が部屋を離れることなくすぐさま一緒にカラオケ演奏を楽しむことができる。
【００５０】
図４において、カラオケ機能は移動電話機２に実現しなければならないが、電話機３，３２および３４は正規の移動電話機とすることができる。しかしながら、カラオケ機能が実現される移動電話機をグループの各メンバーが持っておれば、グループ参加者の誰もが歌い手となることができるため、より興味ある状況が得られる。たとえば、ある人３３が歌い手になりたい場合、カラオケ機能は電話機３４から実施され、他の電話機は傾聴モードとなる。
【００５１】
図１では、移動電話機２は拡声器４およびディスプレイ５だけでなく歌い手用マイクロホン７を提供するように示されている。実際の状況では、この解決策は最適ではない。一つの問題点は、音楽を聴くために拡声器４、したがって電話機全体、を歌い手の耳の近くに保持しなければならない場合、ディスプレイ５を見ることはほとんどできないことである。この状況は電話機に接続された外部ディスプレイを使用して克服することができるが、もう一つの問題点は不要な音響エコーを生じるマイクロホン７と拡声器４間の音響帰還の危険性である。
【００５２】
図５はこれらの問題点に対する解決策を示す。ここでは、歌い手が第２の移動電話機４０およびその拡声器４１を利用して音楽を傾聴する。歌い手がディスプレイ５を注視し電話機２のマイクロホン７に歌い込む間、この電話機は耳に保持することができる。次に、歌い手に向けられた出力信号はＧＳＭ網９を介して電話機２から電話機４０に送信される。これは図２のミクサ（ｍｉｘｅｒ）２１からの歌い手出力信号を修正回路（ｍｏｄｉｆｙｉｎｇ  ｃｉｒｃｕｉｔ）２３ではなく無線回路（ｒａｄｉｏ  ｃｉｒｃｕｉｔ）２２に接続することにより実現することができる。あるいは、聴衆に向けた信号を歌い手も使用することができる。次に、歌い手は図４の他の電話機の一つを使用して音楽を提供することができる。
【００５３】
図６はやはり前記した問題点を解決するもう一つの実施例を示す。ここでは、ヘッドセット５０がケーブル５１により移動電話機２に接続されている。ヘッドセット５０には拡声器５２および５３およびマイクロホン５４が備えられている。歌い手はマイクロホン５４に歌いこみ拡声器５２および５３を介して音楽を傾聴する。歌い手はやはり電話機２のディスプレイ５を注視する。電話機２内の拡声器４と組み合わせてヘッドセット内のマイクロホン５４を使用したり、ヘッドセット内の拡声器５２および５３と共に電話機２内のマイクロホン７を使用することもできる。ケーブル５１の替わりに、ヘッドセット５０はブルートウス（Ｂｌｕｅｔｏｏｔｈ）リンク等の短距離無線リンクにより電話機２に接続することができる。
【００５４】
本発明のもう一つの実施例が図７にシステム６０として示されている。ここでもヘッドセットが使用される。しかしながら、この実施例ではカラオケ機能を実施する回路はヘッドセット６１内に一体化されている。図６のヘッドセット５０と同様に、ヘッドセット６１は拡声器６２および６３およびマイクロホン６４を有する。さらに、ヘッドセット６１はブルートウスリンク等の短距離無線リンク用回路６５およびアンテナ６６を含んでいる。前記したように、ブルートウス送受信機付ヘッドセットは既に存在し、必要な唯一の修正は移動電話機２に対して図２に示したのと同様な追加カラオケ回路である。歌詞を示すディスプレイは、たとえば、ケーブルまたはもう一つのブルートウスリンクを介してヘッドセットに接続することができる。聴衆向け結合信号は図１のようにＧＳＭ網を介して送信する代わりに、ここでは直接ブルートウス受信機に送信される。多くの移動電話機が既にブルートウス受信機を備えているため、図７においてブルートウス受信機は移動電話機６７として例示されている。しかしながら、ブルートウス受信機を有する任意他の装置を使用することができる。例として、オーディオ装置にブルートウス受信機を設けて聴衆に対するカラオケ音響を再生することができる。
【００５５】
ブルートウスおよびＧＳＭを組み合わせることもできる。例として、図７のようなブルートウスヘッドセットは結合信号を、たとえば、移動電話機内のブルートウス受信機へ送信することができ、そこから信号は図１または図４の状況と同様にＧＳＭ網を介して他の数台の移動電話機に送信することができる。
【００５６】
図８はパーソナル・デジタル・アシスタント（ＰＤＡ）７１を使用するカラオケシステム７０の実施例である。図２からのカラオケ機能はここでは移動電話機２のディスプレイ５よりも大きいディスプレイ７２を有するＰＤＡ７１内に一体化される。図６の電話機２と同様に、ＰＤＡ７１はケーブル５１によりヘッドセット５０に接続されている。ヘッドセットは図６で記述したように機能する。ＰＤＡ７１は、さらに、図７に記述したものと同一とすることができるブルートウス受信機６７へそこから結合信号を送信することができるブルートウスアンテナを含んでいる。
【００５７】
前記した実施例では、カラオケ演奏で使用される歌の歌詞および音楽を表すデータはカラオケ装置、たとえば、移動電話機２内のメモリ１５内に格納された。この解決策には典型的にメモリ１５の記憶容量の制限により少数の異なる歌しか格納できないという制限がある。装置にメモリカードを挿入するのに必要なハードウェアが備えられておれば、たとえば、メモリカードの形の外部メモリを内部メモリ１５の代りに使用することができる。メモリを含みカラオケ装置、たとえば、移動電話機２に接続することができる付属装置も使用することができる。これらの解決策は異なる歌の良好な選択を提供するが、やはり制限されている。
【００５８】
異なる歌のより大きい選択を提供する異なる解決策が図９に例示されている。異なる歌の大きい選択を有する遠隔サーバ８１が、たとえば、インターネットを介してＧＳＭ網９に接続されている。ユーザ、たとえば、歌い手６が特定の歌をカラオケ演奏したい場合、この歌を移動電話機２によりサーバ８１から要求することができる。その後、要求した歌に対応するデータが電話機２にダウンロードすなわちストリームされる。
【００５９】
データはダウンロードされると、典型的に電話機２内のメモリ１５に格納され、図２に関して前記したように、後でそこから読み出すことができる。したがって、図２の唯一の修正は無線回路２２からデータの格納を許すメモリ１５への接続であるが、いずれにせよ移動電話機ではこのような接続は正規になされる。
【００６０】
ストリーミングの場合、データはカラオケ演奏中に移動電話機２に送信され、次に、データが受信されると音楽および歌詞が発生される。しかしながら、送信エラーや遅延による音楽内の任意のギャップを回避するためにバッファが必要である。通常、メモリ１５はバッファとして使用することができそのため回路はダウンロードの場合と同様とすることができる。
【００６１】
本発明の好ましい実施例を記述し図示してきたが、本発明はそれに制約はされず、特許請求の範囲に規定された主題の範囲内でさまざまな方法で実施することができる。
【図面の簡単な説明】
【００６２】
【図１】本発明に従ったカラオケシステムを示す図である。
【図２】本発明に従ったカラオケシステムのインプリメンテーション例を示す図である。
【図３】本発明のカラオケ機能を例示するフロー図を示す。
【図４】数人の傾聴者のカラオケシステムを示す図である。
【図５】歌い手に対して２台の移動電話機があるカラオケシステムを示す図である。
【図６】カラオケ装置と一緒にヘッドセットを使用する例を示す図である。
【図７】ブルートウスヘッドセットを有するカラオケシステムを示す図である。
【図８】ＰＤＡを有するカラオケシステムを示す図である。
【図９】遠隔サーバからカラオケ装置に音楽データをダウンロードすなわちストリームすることができるカラオケシステムを示す図である。
【図３】
2005505008.tif 000003
【国際公開パンフレット】
2005505008.tif 000004
2005505008.tif 000005
2005505008.tif 000006
2005505008.tif 000007
2005505008.tif 000008
2005505008.tif 000009
2005505008.tif 000010
2005505008.tif 000011
2005505008.tif 000012
2005505008.tif 000013
2005505008.tif 000014
2005505008.tif 000015
2005505008.tif 000016
2005505008.tif 000017
2005505008.tif 000018
2005505008.tif 000019
2005505008.tif 000020
2005505008.tif 000021
2005505008.tif 000022
2005505008.tif 000023
2005505008.tif 000024
2005505008.tif 000025
2005505008.tif 000026
2005505008.tif 000027
2005505008.tif 000028
2005505008.tif 000029
2005505008.tif 000030
2005505008.tif 000031
2005505008.tif 000032
2005505008.tif 000033
2005505008.tif 000034
2005505008.tif 000035
【国際調査報告】
2005505008.tif 000036
2005505008.tif 000037
2005505008.tif 000038